Podtech/llm-jp-corpus-v4-ja_patent huggingface dataset:
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
活動タグ読取器であって、
ハウジングと、
前記ハウジングの面にあるディスプレイと、
前記ハウジングの面の下方にあり且つ前記ハウジング内にあるスキャナであって、前記前記スキャナを含有する前記ハウジングの部分に近接し且つ前記ハウジングの面の上方に位置づけられた機械可読活動タグ要素を検出する当該スキャナと、
前記ハウジングの面上のアイコンであって、前記ハウジングの面の下方にある前記スキャナの位置を示す当該アイコンと、
前記スキャナ及び前記ディスプレイと通信する前記ハウジング内のコンピュータであって、前記スキャナによる前記機械可読活動タグ要素の検出に応答して前記ディスプレイを変えるためのコンピュータ可読命令を含む当該コンピュータと、
前記ディスプレイを含有する前記ハウジングの面の一部分の周りに前記活動タグ読取器の上方境界を形成するベゼルであって、前記ベゼルは、前記コンピュータからの電気信号に反応して通信可能であり、前記活動タグ読取器によって提供されるオペレーション、警告、又はフィードバックに対応する視覚的な表示を提示する当該ベゼルと、
を含むことを特徴とする活動タグ読取器。
【請求項２】
前記ハウジングの面上に複数のユーザ対話ボタンを更に含む、請求項１に記載の活動タグ読取器。
【請求項３】
前記ハウジング内のスキャナは、前記ディスプレイの一方の側で前記ハウジングの面の下方に配置され、
複数のユーザ対話ボタンが、前記ディスプレイの反対側で前記ハウジングの面に配置される、請求項１に記載の活動タグ読取器。
【請求項４】
前記ベゼルは、前記ハウジングの周囲を定義するベゼルを形成しながら前記面の周りに延び、
前記ユーザ対話ボタン、及び前記スキャナの位置を示す前記ハウジングの面上の前記アイコンは、前記ハウジングの周囲を定義するベゼル内に存在する、請求項３に記載の活動タグ読取器。
【請求項５】
前記ベゼルは、色の変化が生じ、前記コンピュータからの命令に応答して色を変えるように適応かつ構成される、請求項４に記載の活動タグ読取器。
【請求項６】
前記コンピュータ可読命令は、前記スキャナに固有の機械可読活動タグ要素の対話に基づいて、所定数の状態のうちの各１つに関する固有のアイコンを前記ディスプレイ上に表示するための命令を含む、請求項１に記載の活動タグ読取器。
【請求項７】
前記コンピュータ可読命令は、前記機械可読活動タグ要素に関連するユーザ活動の４つの所定の活動ステータス状態のうちの各１つに関する固有のアイコンを前記ディスプレイ上に表示するための命令を含む、請求項１に記載の活動タグ読取器。
【請求項８】
前記ユーザ活動の４つの所定の活動ステータス状態は、完了した予定された活動、未完了の将来の活動、未完了の予定された活動、及び追加の未予定の活動である、請求項７に記載の活動タグ読取器。
【請求項９】
前記ユーザ活動の４つの所定の活動ステータス状態は、１又は２以上の錠剤を摂取するユーザの前記ユーザ活動に関連付けられる、請求項８に記載の活動
タグ読取器。
【請求項１０】
前記ベゼルの色変化は、前記機械可読活動タグ要素と前記スキャナとの間の対話の結果として、前記コンピュータからの命令に応答した前記ユーザ活動の４つの所定の活動ステータス状態の各１つに反応している、請求項７に記載の活動タグ読取器。
【請求項１１】
前記機械可読活動タグ要素は、８ビット未満のデータを含有する、請求項１に記載の活動タグ読取器。
【請求項１２】
前記機械可読活動タグ要素は、約１ビットのデータを含有する、請求項１に記載の活動タグ読取器。
【請求項１３】
前記機械可読活動タグ要素は、該機械可読活動タグ要素をユーザ選択式活動タグに関連付けるのに使用されるデータのみを含有する、請求項１に記載の活動タグ読取器。
【請求項１４】
前記機械可読活動タグ要素は、該機械可読活動タグ要素をユーザ選択式アイコンに関連付けるのに使用されるデータのみを含有する、請求項１に記載の活動タグ読取器。
【請求項１５】
前記スキャナが機械可読活動タグ要素と相互作用した時、前記ベゼルは色を変え、又は活動タグ読取器が音を発する、請求項１に記載の活動タグ読取器。
【請求項１６】
前記ベゼルは、健康の表示、活動の完了、又は活動の予定に対する順守の程度のうちの１又は２以上である事前選択式ユーザ活動ステータスと同一であるとして選択された固有の色に色を変える、請求項１５に記載の活動タグ読取器。
【請求項１７】
活動タグ読取器によって発せられる前記音は、健康の表示、活動の完了、又は活動の予定に対する順守の程度のうちの１又は２以上である事前選択式ユーザ活動ステータスと同一であるとして選択された固有の音に音を変える、請求項１５に記載の活動タグ読取器。
【請求項１８】
事前選択式ユーザ活動ステータスが、健康の表示、活動の完了、又は活動の予定に対する順守の程度のうちの１又は２以上である、請求項６に記載の活動タグ読取器。
【請求項１９】
前記所定数の状態がユーザの個人的特徴に対応する、請求項６に記載の活動タグ読取器。
【請求項２０】
前記コンピュータ可読命令は、前記機械可読活動タグ要素に結合する物体を用いながら活動に関連する所定数の活動ステータスのうちの各１つに関する固有のアイコンを前記ディスプレイ上に表示するための命令を含む、請求項１に記載の活動タグ読取器。
【請求項２１】
前記物体を用いながら活動に関連する所定数の活動ステータスのうちの各１つは、前記物体の計画された使用に関係する、請求項２０に記載の活動タグ読取器。
【請求項２２】
固有のアイコンを有する６側面の物体及び前記６側面の各々に関連の機械可読タグを更に含み、６つの前記機械可読タグの１つが前記スキャナの範囲に位置付けられたとき、前記固有のアイコンに関連するユーザ状態を前記６側面の一つにあらわすコンピュータ可読命令を更に含む、請求項１に記載の活動タグ読取器。
【請求項２３】
前記コンピュータ可読命令は、多側面物体の面が前記スキャナの範囲に位置付けられたとき、ユーザコンディションの表示を認識する命令を更に含む、請求項１に記載の活動タグ読取器。
【請求項２４】
前記ユーザコンディションの表示は、ユーザの気分、精神状態、健康又は追跡される特徴の１又は２以上に関係する、請求項２３に記載の活動タグ読取器。
【誤訳訂正書】
【提出日】令和2年4月27日(2020.4.27)
【誤訳訂正１】
【訂正対象書類名】明細書
【訂正対象項目名】００１６
【訂正方法】変更
【訂正の内容】
【００１６】
本発明のＧＬＰ−１Ｒ抗体融合タンパク質は、ＧＬＰ−１またはその類似体を含み、それがそのＣ末端において、ペプチドリンカーにより、ＧＬＰ−１Ｒ抗体の軽鎖のＮ末端に融合されている。この抗体融合タンパク質は、ＧＬＰ−１およびその類似体と比べて、同様または改良された生物活性と、長い半減期とを有する。好ましいＧＬＰ−１Ｒ抗体融合タンパク質の軽鎖可変ドメインの配列は、配列番号１、２、３、４、５、または６の全部または一部を含み、軽鎖定常ドメインの配列は、配列番号１０または１１の全部または一部を含み、重鎖可変ドメインの配列は、配列番号７、８、または９の全部または一部を含み、かつ重鎖定常ドメインの配列は、配列番号１２の全部または一部を含む。より好ましいＧＬＰ−１Ｒ抗体融合タンパク質の軽鎖可変ドメインの配列は、実質的に配列番号１、２、３、４、５、または６であり、軽鎖定常ドメインの配列は、実質的に配列番号１０または１１であり、重鎖可変ドメインの配列は、実質的に配列番号７、８、または９であり、かつ重鎖定常ドメインの配列は、実質的に配列番号１２である。最も好ましいＧＬＰ−１Ｒ抗体融合タンパク質の軽鎖可変ドメインの配列は、配列番号１、２、３、４、５、または６であり、軽鎖定常ドメインの配列は、配列番号１０または１１であり、重鎖可変ドメインの配列は、配列番号７、８、または９であり、かつ重鎖定常ドメインの配列は、配列番号１２である。
【手続補正書】
【提出日】令和1年12月16日(2019.12.16)
【手続補正１】
【補正対象書類名】明細書
【補正対象項目名】００１９
【補正方法】変更
【補正の内容】
【００１９】
そのような正規化によらないと、ジョーが自身の椅子、スマートスケール、及び医者のスケールからの体重データをマージする場合に、ジョーは、よって、現実を反映していないかもしれない自身のマージされたデータにおいて（例えば、体重増加及び減少において）時々幅広い変動を受け入れる可能性がある。例えば、スマートスケールとオフィスチェアとの間には一定のオフセット（例えば、２ポンド）が存在することがある。ジョーは、データをマージすることよりむしろただ１つのセンサを使用することによって、上記の正規化の欠如に対処することができ、あるいは、ジョーは、夫々のスケールを何らかの黄金律に対して手動で測定（較正）し、マージの前に夫々の体重測定デバイスのデータに手動で補正を適用することができる。黄金律は、究極又は理想的であると考えられる比較手段又はテストであり得る。説明されるように、較正は、既知の標準規格とのセンサ出力の比較であってよく、一方、正規化は、他のセンサの出力とのセンサ出力との比較であってよい。上記の例では、医者のオフィスにあるスケールは、例えば、既知の正確な値を有する体重の組を量ることにより、較正のためにより容易に利用可能であることができる。オフィスチェアに設置されたセンサは、医者のスケールによる測定と比較したときに正規化され得る。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ソフトウェア・インスタンスに対する複数のテナントのディジタル・データを管理するコンピュータで実現される方法であって、各々のテナントは、アプリケーションのソフトウェア・インスタンスに対する特定の一組の特権を有する共通アクセスを共有するユーザーのグループを含み、各々のインスタンスは、互いに通信するサーバー・システムの複数のインスタンス・ノードのうちの少なくとも１つで実現され、前記管理することは、前記サーバー・システムに通信可能に結合される１つ以上のストレージ・デバイス・ロケーションでレコードとして保存され得る前記ディジタル・データの異なるインスタンスのマルチバージョン同時制御を管理することを含み、各々のレコードはデータベースのテーブルにおける１つ以上の行の識別子を含むキーにより識別され、前記方法は：
トランザクション・カウンタ番号に関するクエリを前記サーバー・システムで受信するステップ；
データを識別するトランザクション・ヘッダが、前記サーバー・システムにおいて、割り当てられたトランザクション・カウンタ番号で更新される場合に、受信したクエリにより、マルチバージョン同時制御情報のインスタンスとして、データを識別する更新された前記トランザクション・ヘッダを使用するステップ；
前記サーバー・システムにおいて、前記受信したクエリに基づいて、前記データベースの前記テーブルにおいてキー・ルックアップを実行するステップ；
前記キー・ルックアップが、コミットされていない行に遭遇した場合に、前記サーバー・システムに通信可能に結合される１つ以上のストレージ・デバイス・ロケーションにおいて、トランザクション番号がコミットされるか否かを判断するためにデータ・アレイ要素を識別し、対応するトランザクション・カウンタ番号を決定するために、データを識別する対応するトランザクション・ヘッダにアクセスするステップ；及び
前記サーバー・システムにおいて、行バージョン・レコードにトランザクション・カウンタ番号をスタンプするステップ；
を含む方法。
【請求項２】
前記対応するトランザクション・ヘッダにアクセスする前記ステップは：
前記行バージョン・レコード及び行ロック・レコードにおけるトランザクション・ヘッダ・インデックス・フィールドを利用して前記データ・アレイ要素を識別するステップ；
を含む、請求項１に記載の方法。
【請求項３】
トランザクション識別子を有するトランザクションにより影響を受ける各々の行に関し、前記トランザクション・カウンタ番号で、前記トランザクションにより影響を受ける各々の行をスタンプし、任意の行ロックを解放するステップを更に含む請求項１に記載の方法。
【請求項４】
１つ以上の行ルックアップ・レコードがコミットされていない場合に行ルックアップを実行するステップであって、前記１つ以上の行ルックアップ・レコードは、前記トランザクション・カウンタ番号でスタンプされていない場合には、コミットされていない、ステップを更に有する請求項１に記載の方法。
【請求項５】
前記１つ以上のコミットされていないレコードがクエリにとって外的に認識可能でない場合に、前記１つ以上のコミットされていない行ルックアップ・レコードを独立に処理するステップを更に含む請求項４に記載の方法。
【請求項６】
ソフトウェア・インスタンスに対する複数のテナントのディジタル・データを管理するサーバー・システムであって、各々のテナントは、アプリケーションのソフトウェア・インスタンスに対する特定の一組の特権を有する共通アクセスを共有するユーザーのグループを含み、各々のインスタンスは、互いに通信するサーバー・システムの複数のインスタンス・ノードのうちの少なくとも１つで実現され、前記管理することは、前記サーバー・システムに通信可能に結合される１つ以上のストレージ・デバイス・ロケーションでレコードとして保存され得る前記ディジタル・データの異なるインスタンスのマルチバージョン同時制御を管理することを含み、各々のレコードはデータベースのテーブルにおける１つ以上の行の識別子を含むキーにより識別され、前記サーバー・システムは：
トランザクション・カウンタ番号に関するクエリを受信するステップ；
前記キー・ルックアップが、前記１つ以上のストレージ・デバイス・ロケーションにおいてトランザクション番号についてコミットされていない行に遭遇した場合に、受信したクエリにより、マルチバージョン同時制御情報のインスタンスとして、データを識別する更新されたトランザクション・ヘッダを利用するステップ；
前記受信したクエリに基づいて、前記データベースの前記テーブルにおいてキー・ルックアップを実行するステップ；
前記キー・ルックアップが、コミットされていない行に遭遇した場合に、前記サーバー・システムが、前記サーバー・システムに通信可能に結合される１つ以上のストレージ・デバイス・ロケーションにおいて、トランザクション番号がコミットされるか否かを判断するために、前記１つ以上のストレージ・デバイス・ロケーションにおけるデータ・アレイ要素を識別し、対応するトランザクション・カウンタ番号を決定するために、データを識別する対応するトランザクション・ヘッダにアクセスするステップ；及び
前記１つ以上のストレージ・デバイス・ロケーションにおける行バージョン・レコードに前記トランザクション・カウンタ番号をスタンプするステップ；
を行うシステム。
【請求項７】
前記サーバー・システムは、前記行バージョン・レコード及び行ロック・レコードにおけるトランザクション・ヘッダ・インデックス・フィールドを利用して前記データ・アレイ要素を識別することにより、前記１つ以上のストレージ・デバイス・ロケーションにおける前記対応するトランザクション・ヘッダにアクセスする、請求項６に記載のシステム。
【請求項８】
前記サーバー・システムは、前記トランザクション・カウンタ番号で、前記トランザクションにより影響を受ける各々の行をスタンプし、前記１つ以上のストレージ・デバイス・ロケーションにおいてトランザクション識別子を有するトランザクションにより影響を受ける各々の行について任意の行ロックを解放する、請求項６に記載のシステム。
【請求項９】
前記サーバー・システムは、１つ以上の行ルックアップ・レコードがコミットされていない場合に、前記１つ以上のストレージ・デバイス・ロケーションにおいて行ルックアップを実行し、そのため、前記１つ以上の行ルックアップ・レコードは、前記トランザクション・カウンタ番号でスタンプされていない場合には、コミットされていない、請求項６に記載のシステム。
【請求項１０】
前記１つ以上のコミットされていないレコードがクエリにとって外的に認識可能でない場合に、前記１つ以上のストレージ・デバイス・ロケーションの前記１つ以上のコミットされていない行ルックアップ・レコードを独立に処理する、請求項９に記載のシステム。
【手続補正２】
【補正対象書類名】明細書
【補正対象項目名】発明の名称
【補正方法】変更
【補正の内容】
【発明の名称】データ管理方法及びシステム
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ホログラム画像装置であって、
複数のホログラフィックパネルであって、当該複数のホログラフィックパネルの各々は複合ホログラム画像の一部に対応する干渉パターンで符号化された透過性パネルを有する、複数のホログラフィックパネルと、
光を放射し、１又は２以上の入射角から前記複数のホログラフィックパネルの各ホログラフィックパネルを照射するよう構成された１又は２以上の光源であって、それぞれのホログラフィックパネルの干渉パターンは、前記複合ホログラム画像を生成するように前記複数のホログラフィックパネルに前記放射された光を回折させる、１又は２以上の光源と、
を備える、ホログラム画像装置。
【請求項２】
前記複数のホログラフィックパネルのホログラフィックパネルは、隣接する前記ホログラフィックパネルのそれぞれの被写界深度が重なり合うように互いに隣接して配置される、請求項１に記載のホログラム画像装置。
【請求項３】
前記複合ホログラム画像の被写界深度は、前記複数のホログラフィックパネルの少なくとも幾つかのホログラフィックパネルに対応する、請求項１に記載のホログラム画像装置。
【請求項４】
前記複数のホログラフィックパネルの少なくとも１つのホログラフィックパネルは、多チャンネルホログラムとして構成される、請求項１に記載のホログラム画像装置。
【請求項５】
前記複数のホログラフィックパネルのうちの少なくとも１つのホログラフィックパネルの前記透過性パネルが、可視光に対して透過性であるガラスパネルを含む、請求項１に記載のホログラム画像装置。
【請求項６】
前記複数のホログラフィックパネルのうちの少なくとも１つのホログラフィックパネルの前記透過性パネルが、約９０％〜約８０％の光透過性を有するように着色される、請求項１に記載のホログラム画像装置。
【請求項７】
前記複数のホログラフィックパネルのうちの少なくとも１つのホログラフィックパネルの前記透過性パネルが、約８０％〜約７０％の光透過性を有するように着色される、請求項１に記載のホログラム画像装置。
【請求項８】
前記複数のホログラフィックパネルのうちの少なくとも１つのホログラフィックパネルの前記透過性パネルが、約７０％〜約６０％の光透過性を有するように着色される、請求項１に記載のホログラム画像装置。
【請求項９】
前記複数のホログラフィックパネルに動作可能に結合された１又は２以上のアクチュエータを備え、前記１又は２以上のアクチュエータが、前記複数のホログラフィックパネルの配列及び／又は向きを変更するようコントローラにより制御されるように構成される、請求項１に記載のホログラム画像装置。
【請求項１０】
前記１又は２以上の光源に動作可能に結合された１又は２以上のアクチュエータを更に備え、前記１又は２以上のアクチュエータは、前記１又は２以上の入射角を変更するようコントローラによって制御されるように構成される、請求項１に記載のホログラム画像装置。
【請求項１１】
複合ホログラムを形成する方法であって、
隣接するホログラフィックパネル間にギャップが存在するように前記ホログラフィックパネルを互いに隣接して配置するステップであって、前記ギャップは、前記隣接するホログラフィックパネルのそれぞれの被写界深度が互いに重なり合うようなものであり、前記ホログラフィックパネルの各々は前記複合ホログラムの一部に対応する干渉パターンで符号化される、ステップと、
１又は２以上の光源を用いて１又は２以上の入射角から前記ホログラフィックパネルを照射して、複合ホログラムを生成するステップと、
を含む、方法。
【請求項１２】
前記ホログラフィックパネルの数を増大させて、前記複合ホログラムの総被写界深度を増大させるステップを含む、請求項１１に記載の方法。
【請求項１３】
コントローラに動作可能に結合された１又は２以上のアクチュエータに前記ホログラフィックパネルのうちの少なくとも１つを結合させて、前記隣接するホログラフィックパネル間の前記ギャップを変更するステップを更に含む、請求項１１に記載の方法。
【請求項１４】
前記ホログラフィックパネルのうちの少なくとも１つのホログラフィックパネルの傾斜角及び／又は前記隣接するホログラフィックパネル間のシフト距離を変更するステップを含む、請求項１３に記載の方法。
【請求項１５】
コントローラに動作可能に結合された１又は２以上のアクチュエータに１又は２以上の光源を結合させて、前記１又は２以上の入射角を変更するステップを含む、請求項１１に記載の方法。
【請求項１６】
複合ホログラム画像の一部のみで符号化された透過性パネルを備え、前記透過性パネルが可視光に対して透過性である、ホログラフィックパネル。
【請求項１７】
前記透過性パネルが、可視光に対して透過性であるガラスパネルを含む、請求項１６に記載のホログラフィックパネル。
【請求項１８】
前記透過性パネルが、約９０％〜約８０％の光透過性を有するように着色される、請求項１６に記載のホログラフィックパネル。
【請求項１９】
前記透過性パネルが、約８０％〜約７０％又は約７０％〜約６０％の光透過性を有するように着色される、請求項１６に記載のホログラフィックパネル。
【請求項２０】
前記透過性パネルが、単一のチャンネルチャンネルホログラム又は多チャンネルホログラムで符号化される、請求項１６に記載のホログラフィックパネル。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
駆動チップとスクリーンを含むＴＦＴ型ディスプレイに応用されるディスプレイ電源制御方法であって、
前記駆動チップが適当な画像を表示させるよう前記スクリーンを制御するとともに、前記スクリーンが薄膜トランジスタによって画素を制御され、
当該ディスプレイ電源制御方法において、
起動信号を受信した後、前記駆動チップの出力電圧が異常発生される可能性を下げるよう予め規定された規則に従ってパワーアップさせるように前記駆動チップの電源を制御するステップと、
前記駆動チップに正常で連続給電するステップと、を含むディスプレイ電源制御方法。
【請求項２】
前記駆動チップは電源管理モジュールを含み、
起動信号を受信した後前記駆動チップの出力電圧が異常発生される可能性を下げるよう前記駆動チップの電源に予め規定された規則に従ってパワーアップさせるように制御するステップが、
起動信号を受信した後、前記駆動チップに出力されたゲート駆動負電圧が異常発生される可能性を下げるよう予め規定された規則に従ってパワーアップさせるように前記電源管理モジュールの供給電圧を制御するというステップを含む請求項１に記載のディスプレイ電源制御方法。
【請求項３】
起動信号を受信した後、前記駆動チップに出力されたゲート駆動負電圧が異常発生される可能性を下げるよう予め規定された規則に従ってパワーアップさせるように前記電源管理モジュールの供給電圧を制御するステップが、
起動信号を受信した後、正常に第一レベルまでにパワーアップさせるように前記電源管理モジュールの供給電圧を制御するステップと、
第一の期間を経過した後、電圧が第一レベルより低い第二レベルまで降下するように前記電源管理モジュールの供給電圧を制御するステップと、
第二の期間を経過した後、電圧が再び第一レベルまで上昇するように前記電源管理モジュールの供給電圧を制御するステップと、を含む請求項２に記載のディスプレイ電源制御方法。
【請求項４】
前記駆動チップは電源管理モジュールと、デジタル回路とを含み、
起動信号を受信した後前記駆動チップの出力電圧が異常発生される可能性を下げるよう前記駆動チップの電源に予め規定された規則に従ってパワーアップさせるように制御するステップが、
起動信号を受信した後、前記電源管理モジュールの供給電圧を制御してパワーアップされるステップと、
第三の期間を経過した後、前記デジタル回路の供給電圧を制御してパワーアップされるステップと、を含む請求項１に記載のディスプレイ電源制御方法。
【請求項５】
前記第三の期間を経過した後前記デジタル回路の供給電圧を制御してパワーアップされるステップが、前記駆動チップで前記電源管理モジュールの供給電圧を段階的に降下させた後、前記デジタル回路の供給電圧を制御してパワーアップされるというステップである請求項４に記載のディスプレイ電源制御方法。
【請求項６】
前記駆動チップで前記電源管理モジュールの供給電圧を段階的に降下させた後前記デジタル回路の供給電圧を制御してパワーアップされるステップが、前記駆動チップで前記電源管理モジュールの供給電圧を第一電圧まで降下させ、さらに第二電圧まで降下させた後、前記デジタル回路の供給電圧を制御してパワーアップされるというステップであり、
前記第二電圧は前記電源管理モジュールに用いる基準電圧であり、
前記第一電圧は前記電源管理モジュールのチャージポンプにより生成された電圧である請求項４に記載のディスプレイ電源制御方法。
【請求項７】
駆動チップとスクリーンを含むＴＦＴ型ディスプレイに応用されるディスプレイ電源制御装置であり、前記駆動チップが適当な画像を表示させるよう前記スクリーンを制御するとともに、前記スクリーンが薄膜トランジスタによって画素を制御され、
当該ディスプレイ電源制御装置において、
起動信号を受信した後、前記駆動チップの出力電圧が異常発生される可能性を下げるよう予め規定された規則に従ってパワーアップさせるように前記駆動チップの電源を制御するパワーアップ制御モジュールと、
前記駆動チップに正常で連続給電する正常給電モジュールと、を含むディスプレイ電源制御装置。
【請求項８】
前記駆動チップは電源管理モジュールと、デジタル回路とを含み、
前記電源管理モジュールの供給電圧を段階的に降下させた後、前記デジタル回路の供給電圧を制御してパワーアップされる請求項７に記載のディスプレイ電源制御装置。
【請求項９】
電源チップ、前記駆動チップと前記スクリーンを含む電子機器であって、
前記電源チップは、メモリとプロセッサを含み、前記メモリにプログラムが蓄積され、前記プログラムが前記プロセッサで実行されると、請求項１〜６のいずれか一項に記載の方法を実行させる電子機器。
【請求項１０】
電源チップ、前記駆動チップと前記スクリーンを含むＴＦＴ型ディスプレイに応用される記録媒体であって、
前記記録媒体は前記電源チップ内に設置されて、前記電源チップに内蔵されたプロセッサにより実行されるプログラムを蓄積し、
当該プログラムは、プロセッサで実行されると、請求項１〜６のいずれか一項に記載の方法を実行させるプログラムである記録媒体。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
紙幣（１）、チェック又は同様のものなどの貴重な文書を生成するためのセキュリティ要素であって、複数のピクセル（５）を有するエンボスホログラムを有し、前記複数のピクセル（５）の表面は、それぞれの場合、少なくとも一次元において肉眼で判別され得ない、セキュリティ要素において、
−  前記ピクセル（５）の各々の前記表面は、第１の部分領域（６）及び第２の部分領域（７）を有し、
−  前記第１の部分領域（６）は、５００ｎｍ〜２．０μｍの周期を有するホログラム格子構造（８）からなり、且つ１次回折次数（Ｒ-1）での観測時に前記ピクセル（５）のホログラム効果をもたらすように具体化され、
−  前記第２の部分領域（７）は、１５０ｎｍ〜４５０ｎｍの周期を有するサブ波長格子構造（９）又はモスアイ構造若しくは光吸収微細構造からなり、且つグレージング角（Ｒ0）での観測時に前記ピクセル（５）の色効果又は明／暗効果をもたらすように構成され、
前記ピクセル（５）のいくつかは、平滑であり且つ金属被覆されている第３の部分領域（７Ｅ）であって、前記部分領域（７Ｅ）の表面割合は、前記グレージング角（Ｒｅ）及び透過（ＴI、ＴII）で前記ピクセル（５）の強度適応をもたらす、第３の部分領域（７Ｅ）を有することを特徴とする、セキュリティ要素。
【請求項２】
前記第１の部分領域（６）は、複数のホログラムサブピクセル（６Ｒ、６Ｂ、６Ｇ）からなり、前記複数のホログラムサブピクセル（６Ｒ、６Ｂ、６Ｇ）の相対的な表面割合は、前記１次回折次数での前記ピクセル（５）の前記ホログラム効果の着色を決定し、前記第１の部分領域（６）の前記ピクセル（５）は、前記１次回折次数（Ｒ-1）でのトゥルーカラー画像（３）をもたらすことを特徴とする、請求項１に記載のセキュリティ要素。
【請求項３】
前記ピクセル（５）の少なくともいくつかについて、前記第２の部分領域（７）の前記サブ波長格子構造（９）は、色付与サブ波長格子構造として構成されることを特徴とする、請求項１に記載のセキュリティ要素。
【請求項４】
前記第２の部分領域（７）は、それぞれの場合、前記グレージング角（Ｒθ）でそれぞれの場合に原色を呈する複数のサブ波長格子サブピクセル（７Ｒ、７Ｂ、７Ｇ）であって、前記サブ波長格子サブピクセル（７Ｒ、７Ｂ、７Ｇ）の相対的な表面割合は、前記グレージング角（Ｒθ）での前記ピクセル（５）の着色又は輝度を決定する、複数のサブ波長格子サブピクセル（７Ｒ、７Ｂ、７Ｇ）からなることを特徴とする、請求項３に記載のセキュリティ要素。
【請求項５】
前記第１の部分領域（６）は、複数のホログラムサブピクセル（６Ｒ、６Ｂ、６Ｇ）からなり、前記複数のホログラムサブピクセル（６Ｒ、６Ｂ、６Ｇ）の相対的な表面割合は、前記１次回折次数での前記ピクセル（５）の前記ホログラム効果の着色を決定し、前記第１の部分領域（６）の前記ピクセル（５）は、前記１次回折次数（Ｒ-1）でのトゥルーカラー画像（３）をもたらし、
前記ピクセル（５）の少なくともいくつかについて、前記第２の部分領域（７）の前記サブ波長格子構造（９）は、色付与サブ波長格子構造として構成され、
前記第２の部分領域（７）は、それぞれの場合、前記グレージング角（Ｒθ）でそれぞれの場合に原色を呈する複数のサブ波長格子サブピクセル（７Ｒ、７Ｂ、７Ｇ）であって、前記サブ波長格子サブピクセル（７Ｒ、７Ｂ、７Ｇ）の相対的な表面割合は、前記グレージング角（Ｒθ）での前記ピクセル（５）の着色又は輝度を決定する、複数のサブ波長格子サブピクセル（７Ｒ、７Ｂ、７Ｇ）からなり、
前記ピクセル（５）は、前記１次回折次数（Ｒ-1）及び前記グレージング角（Ｒθ）での観測時にトゥルーカラー画像（３）を提示することを特徴とする、請求項１に記載のセキュリティ要素。
【請求項６】
前記サブ波長格子構造は、透過（ＴI、ＴII）での観測時に前記ピクセル（５）の色効果又は明／暗効果をもたらすように形成されることを特徴とする、請求項１に記載のセキュリティ要素。
【請求項７】
前記第１の部分領域（６）は、複数のホログラムサブピクセル（６Ｒ、６Ｂ、６Ｇ）からなり、前記複数のホログラムサブピクセル（６Ｒ、６Ｂ、６Ｇ）の相対的な表面割合は、前記１次回折次数での前記ピクセル（５）の前記ホログラム効果の着色を決定し、前記第１の部分領域（６）の前記ピクセル（５）は、前記１次回折次数（Ｒ-1）でのトゥルーカラー画像（３）をもたらし、
前記ピクセル（５）の少なくともいくつかについて、前記第２の部分領域（７）の前記サブ波長格子構造（９）は、色付与サブ波長格子構造として構成され、
前記第２の部分領域（７）は、それぞれの場合、前記グレージング角（Ｒθ）でそれぞれの場合に原色を呈する複数のサブ波長格子サブピクセル（７Ｒ、７Ｂ、７Ｇ）であって、前記サブ波長格子サブピクセル（７Ｒ、７Ｂ、７Ｇ）の相対的な表面割合は、前記グレージング角（Ｒθ）での前記ピクセル（５）の着色又は輝度を決定する、複数のサブ波長格子サブピクセル（７Ｒ、７Ｂ、７Ｇ）からなり、
前記ピクセル（５）は、前記１次回折次数（Ｒ-1）及び前記グレージング角（Ｒθ）での観測時にトゥルーカラー画像（３）を提示し、
前記サブ波長格子構造は、透過（ＴI、ＴII）での観測時に前記ピクセル（５）の色効果又は明／暗効果をもたらすように形成され、
前記ピクセル（５）は、透過（ＴI、ＴII）での観測時に前記トゥルーカラー画像（３）に対して逆の画像を提示することを特徴とする、請求項１に記載のセキュリティ要素。
【請求項８】
前記光吸収微細構造（７Ｓ）又はモスアイ構造は、前記グレージング角での前記ピクセル（５）の黒の割合を決定することを特徴とする、請求項１に記載のセキュリティ要素。
【請求項９】
前記ピクセル（５）は、ストライプの形状を有し、前記ホログラムサブピクセル（６Ｒ、６Ｂ、６Ｇ）は、同様にストライプの形状を有し、及び前記ストライプの幅は、前記着色を設定することを特徴とする、請求項１に記載のセキュリティ要素。
【請求項１０】
ホログラム構造が位置しない前記ピクセル（５）の領域は、光吸収構造、好ましくはモスアイ構造又は光吸収微細構造で満たされることを特徴とする、請求項９に記載のセキュリティ要素。
【請求項１１】
前記エンボスホログラムは、透明誘電体に埋め込まれることを特徴とする、請求項１に記載のセキュリティ要素。
【請求項１２】
請求項１〜１１のいずれか一項に記載のセキュリティ要素を有する、紙幣（１）、チェック又は同様のものなどの貴重な文書。
【請求項１３】
紙幣（１）、チェック又は同様のものなどの貴重な文書を生成するためのセキュリティ要素を生成する方法において、エンボス構造は、基板にエンボス加工され且つ金属化され、及び請求項１〜１１のいずれか一項に記載の複数のピクセル（５）から構築されることを特徴とする方法。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
顕著な鎮静状態を引き起こすこともなく激越または激越の兆候を治療するための舌下組成物であって、有効量のデクスメデトミジンまたは薬学上許容できるその塩と１以上の薬学上許容できるキャリア／賦形剤とを含む、前記舌下組成物。
【請求項２】
前記治療が、顕著な鎮静状態を引き起こすこともなく対象にて激越または激越の兆候を抑制するのに効果的である、請求項１に記載の舌下組成物。
【請求項３】
前記激越が神経変性疾患に関連する、請求項１に記載の舌下組成物。
【請求項４】
前記治療が、顕著な鎮静状態を引き起こすこともなく対象にて激越または激越の兆候を抑制するのに効果的である、請求項３に記載の舌下組成物。
【請求項５】
前記神経変性疾患が、アルツハイマー病、前頭側頭型認知症（ＦＴＤ）、認知症、レビー小体型認知症（ＤＬＢ）、心的外傷後ストレス障害、パーキンソン病、血管性認知症、血管性認知機能障害、ハンチントン病、多発性硬化症、クロイツフェルト−ヤコブ病、多系統萎縮症、及び進行性核上麻痺から成る群から選択される、請求項３に記載の舌下組成物。
【請求項６】
前記神経変性疾患が、認知症、前頭側頭型認知症、アルツハイマー病、及びパーキンソン病から成る群から選択される、請求項５に記載の舌下組成物。
【請求項７】
前記激越が神経精神病に関連する、請求項１に記載の舌下組成物。
【請求項８】
前記治療が、顕著な鎮静状態を引き起こすこともなく対象にて激越または激越の症状を抑制するのに効果的である、請求項７に記載の舌下組成物。
【請求項９】
前記神経精神病が、統合失調症、双極性障害、双極性躁病、せん妄及びうつ病から成る群から選択される、請求項７に記載の舌下組成物。
【請求項１０】
前記組成物が、フィルム、ウエハー、貼付剤、トローチ剤、ジェル、噴霧剤、錠剤、及び液状滴剤から成る群から選択される剤形である、請求項１に記載の舌下組成物。
【請求項１１】
前記剤形が薄膜である、請求項１０に記載の舌下組成物。
【請求項１２】
前記フィルムが粘膜接着性の性質であり、速やかな作用の発現を提供する、請求項１０または１１に記載の舌下組成物。
【請求項１３】
前記組成物が、フィルム、ウエハー、貼付剤、トローチ剤、ジェル、噴霧剤、錠剤、及び液状滴剤から成る群から選択される剤形である、請求項３に記載の舌下組成物。
【請求項１４】
前記剤形が薄膜である、請求項１３に記載の舌下組成物。
【請求項１５】
前記フィルムが粘膜接着性の性質であり、速やかな作用の発現を提供する、請求項１３または１４に記載の舌下組成物。
【請求項１６】
前記組成物が、フィルム、ウエハー、貼付剤、トローチ剤、ジェル、噴霧剤、錠剤、及び液状滴剤から成る群から選択される剤形である、請求項７に記載の舌下組成物。
【請求項１７】
前記剤形が薄膜である、請求項１６に記載の舌下組成物。
【請求項１８】
前記フィルムが粘膜接着性の性質であり、速やかな作用の発現を提供する、請求項１６または１７に記載の舌下組成物。
【請求項１９】
前記組成物が、約３マイクログラム〜約１００マイクログラムの範囲での投与量でデクスメデトミジンまたは薬学上許容できるその塩を含む、請求項１０または１１に記載の舌下組成物。
【請求項２０】
前記投与量が約５マイクログラム〜約３０マイクログラムである、請求項１９に記載の舌下組成物。
【請求項２１】
前記組成物が、約３マイクログラム〜約１００マイクログラムの範囲での投与量でデクスメデトミジンまたは薬学上許容できるその塩を含む、請求項１３または１４に記載の舌下組成物。
【請求項２２】
前記投与量が約５マイクログラム〜約３０マイクログラムである、請求項２１に記載の舌下組成物。
【請求項２３】
前記組成物が、約３マイクログラム〜約１００マイクログラムの範囲での投与量でデクスメデトミジンまたは薬学上許容できるその塩を含む、請求項１６または１７に記載の舌下組成物。
【請求項２４】
前記投与量が約５マイクログラム〜約３０マイクログラムである、請求項２３に記載の舌下組成物。
【請求項２５】
投与の際、顕著な鎮静状態を引き起こすことなく約３０秒〜約３０分で激越を抑制する治療効果を生じる、請求項１に記載の舌下組成物。
【請求項２６】
対象にて激越または激越の兆候を治療するための舌下組成物であって、
有効量のデクスメデトミジンまたは薬学上許容できるその塩を含み、前記激越が周術期激越ではない、前記舌下組成物。
【請求項２７】
顕著な鎮静状態を引き起こすこともなく激越または激越の兆候を治療するための舌下組成物であって、有効量のデクスメデトミジンまたは薬学上許容できるその塩と１以上の薬学上許容できるキャリア／賦形剤とを含み、前記激越が薬物の乱用離脱に関連している、前記舌下組成物。
【請求項２８】
前記激越が攻撃性を含む、請求項１〜２７のいずれか一項に記載の舌下組成物。
【請求項２９】
前記激越が急性激越である、請求項１〜２７のいずれか一項に記載の舌下組成物。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
液体泡沫を被験体の呼吸器系の標的部位に提供するように構成される肺薬物送達デバイスであって、
−液体泡沫を提供するように構成される第１の区画；および
−（ｉ）前記液体泡沫を受け取るように構成され、その結果該液体泡沫が押し込まれる近位端；および（ｉｉ）前記被験体の呼吸器系の前記標的部位内に前記泡を挿入するように構成される遠位端を有する細長い中空チューブ
を含む、肺薬物送達デバイス。
【請求項２】
圧縮された気体を提供するように構成される第２の区画をさらに含み、前記気体が、前記液体泡沫を呼吸器系の標的部位内に押し込む、請求項１に記載の肺薬物送達デバイス。
【請求項３】
前記第１の区画の出口が、呼吸器系の標的部位の近位部位に付着するようなサイズおよび形状である、請求項１または２に記載の肺薬物送達デバイス。
【請求項４】
前記細長い中空チューブ中の前記液体泡沫の流速、および前記呼吸器系内へ挿入される前記液体泡沫の量からなる群から選択される１つまたは複数のパラメータを調節するように適合された制御ユニットをさらに含む、請求項１〜３のいずれか１項に記載の肺薬物送達デバイス。
【請求項５】
前記第１の区画が、撹拌要素をさらに含み、任意選択で前記第１の区画が、シリンジの形態である、請求項１〜４のいずれか１項に記載の肺薬物送達デバイス。
【請求項６】
前記第２の区画が、シリンジおよび換気装置からなる群から選択される、請求項１〜５のいずれか１項に記載の肺薬物送達デバイス。
【請求項７】
前記遠位端が、前記被験体の前記呼吸器系に付着するようなサイズおよび形状であり、その結果液体泡沫が前記呼吸器系に直接注入される、請求項１〜６のいずれか１項に記載の肺薬物送達デバイス。
【請求項８】
前記液体泡沫が、（ｉ）任意選択で治療剤、予防剤および診断剤からなる群から選択される１つまたは複数の活性薬剤をさらに含むか１つまたは複数の活性薬剤に組み込まれている液体泡沫；（ｉｉ）界面活性剤をさらに含むか界面活性剤に組み込まれている液体泡沫；から選択され、任意選択で前記１つまたは複数の活性薬剤が、前記泡の液体画分の０．０１％〜１００％を構成する、請求項１〜７のいずれか１項に記載の肺薬物送達デバイス。
【請求項９】
前記１つまたは複数の活性薬剤が、タンパク質、ペプチド、核酸、小分子、脂質、糖脂質、細胞、抗体、界面活性剤、細胞毒性薬、抗新生物剤、化学療法剤、抗転移剤、ホルモン、ステロイド、気管支拡張薬、抗凝固薬、免疫調節剤、β−アゴニスト、抗生物質、抗真菌剤、抗菌剤および抗ウイルス剤からなる群から選択される、請求項８に記載の肺薬物送達デバイス。
【請求項１０】
被験体における肺疾患の処置の方法での使用のための肺薬物送達デバイスであって、任意選択で前記疾患が、急性呼吸急迫症候群（ＡＲＤＳ）である、請求項１〜９のいずれか１項に記載の肺薬物送達デバイス。
【請求項１１】
前記液体泡沫が、幹細胞で負荷され、かつ前記疾患が、慢性閉塞性肺疾患（ＣＯＰＤ）、特発性肺線維症（ＩＰＦ）、急性呼吸急迫症候群（ＡＲＤＳ）からなる群から選択される、請求項１０に記載の肺薬物送達デバイス。
【請求項１２】
前記第１の区画が、前記液体泡沫の少なくとも一部の量を前記呼吸器系の標的部位から引き戻すようにさらに構成される、請求項１に記載の肺薬物送達デバイス。
【請求項１３】
前記液体泡沫が、０．０１〜１Ｐａ・ｓの粘度範囲を有し、任意選択で前記液体泡沫が、５μｍ〜５ｍｍの平均直径を有する気泡を含む、請求項１に記載の肺薬物送達デバイス。
【請求項１４】
前記液体泡沫が、標的部位内で１秒〜６０分内に液体に変換される、請求項１に記載の肺薬物送達デバイス。
【請求項１５】
前記液体泡沫の液体への変換または崩壊が、（ｉ）音波；（ｉｉ）高頻度振動換気（ＨＦＯＶ）；（ｉｉｉ）脱泡剤を含む所定体積の気体と前記組成物を接触させて前記液体泡沫の崩壊を誘導すること；からなる群から選択される少なくとも１つの方法により誘導される、請求項１に記載の肺薬物送達デバイス。
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
ホットメルト接着剤を使用する方法であって、
第一の円筒ロールを、運転の際に前記第一の円筒ロールの上への接着剤の付着を少なくとも顕著に低減させるのに十分な温度にまで加熱する工程；
ホットメルト接着剤を、第一の透過性の基材の接着剤受取り表面に適用する工程（ここで、前記第一の透過性の基材は、前記接着剤受取り表面の反対側に円筒ロールと接触する表面を有している）；および
その上に適用された前記ホットメルト接着剤を有する前記第一の透過性の基材を移送させて、前記第一の透過性の基材が移送される際に、前記第一の透過性の基材の前記円筒ロールと接触する表面が、前記加熱された第一の円筒ロールと接触するようにする工程；
を含む方法。
【請求項２】
前記第一の透過性の基材を折り曲げて、前記接着剤受取り表面の内側表面が、相互に隣接するようにした後で、前記第一の透過性の基材の前記円筒ロールと接触する表面を、前記加熱された第一の円筒ロールと接触させる工程をさらに含む、請求項１に記載の方法。
【請求項３】
前記第一の透過性の基材の前記接着剤受取り表面に前記ホットメルト接着剤を適用した後で、第二の基材を前記第一の透過性の基材の前記接着剤受取り表面と接触させて、二層積層品を形成させる工程をさらに含む、請求項１に記載の方法。
【請求項４】
前記第一の円筒ロールには第一のニップローラーが含まれ、前記接触工程には、前記第一の透過性の基材と前記第二の基材とが、前記第一のニップローラーと第二のニップローラーによって規定されるニップギャップを通して移送される際に、前記第一の透過性の基材と前記第二の基材に対して接合圧力を加えることが含まれる、請求項３に記載の方法。
【請求項５】
前記第一の円筒ロールには第一のアイドラーが含まれ、前記接触工程には、前記第一の透過性の基材と前記第二の基材とが、前記第二の基材と接触するように配置された前記第一のアイドラーと第二のアイドラーとによって形成される少なくとも一つのＳ字状の巻付け曲線を通して移送される際に、前記第一の透過性の基材と前記第二の基材に対して接合圧力を加えることが含まれる、請求項３に記載の方法。
【請求項６】
ホットメルト接着剤を、第二の基材の接着剤受取り表面に適用する工程（ここで、前記第二の基材は、前記接着剤受取り表面の反対側に円筒ロールと接触する表面を有している）；
その上に適用された前記ホットメルト接着剤を有する前記第二の基材を移送させて、前記第二の基材が移送される際に、前記第二の基材の前記円筒ロールと接触する表面が、第二の円筒ロールと接触するようにする工程；
前記第一の透過性の基材および前記第二の基材の接着剤受取り表面に前記ホットメルト接着剤を適用する工程の後で、前記第一の透過性の基材と前記第二の基材との間に第三の基材を導入する工程；および
前記第三の基材を、前記第一の透過性の基材および前記第二の基材の前記接着剤受取り表面と接触させて、三層積層品を形成させる工程；
をさらに含む、請求項１に記載の方法。
【請求項７】
前記第一の円筒ロールには第一のニップローラーが含まれ、前記接触工程には、前記第一の透過性の基材と前記第二の基材と前記第三の基材とが、前記第一のニップローラーと第二のニップローラーによって規定されるニップギャップを通して移送される際に、前記第一の透過性の基材と前記第二の基材と前記第三の基材に対して接合圧力を加えることが含まれる、請求項６に記載の方法。
【請求項８】
前記第一の円筒ロールには第一のアイドラーが含まれ、前記接触工程には、前記第一の透過性の基材と前記第二の基材と前記第三の基材とが、前記第二の基材と接触するように配置された前記第一のアイドラーと第二のアイドラーとによって形成される少なくとも一つのＳ字状の巻付け曲線を通して移送される際に、前記第一の透過性の基材と前記第二の基材と前記第三の基材に対して接合圧力を加えることが含まれる、請求項６に記載の方法。
【請求項９】
前記ホットメルト接着剤が３５℃未満のガラス転移温度を有する、請求項１に記載の方法。
【請求項１０】
前記ホットメルト接着剤組成物がポリオレフィンを含む、請求項１に記載の方法。
【請求項１１】
前記ポリオレフィンが、エチレン、プロピレン、１−ブテン、１−ヘキセン、１−オクテン、およびそれらの組合せから誘導される、ホモポリマー、コポリマー、およびターポリマーからなる群から選択される、請求項１０に記載の方法。
【請求項１２】
前記第一の透過性の基材が不織布である、請求項１に記載の方法。
【請求項１３】
前記第三の基材が弾性基材である、請求項６に記載の方法。
【請求項１４】
前記第一の円筒ロールが、約５０℃以上の温度に加熱される、請求項１に記載の方法。
【請求項１５】
前記第一の円筒ロールが、前記ホットメルト接着剤のクロスオーバー温度より少なくとも約３０℃低い温度にまで加熱される、請求項１に記載の方法。
【請求項１６】
前記第一の円筒ロールが、前記ホットメルト接着剤のクロスオーバー温度より少ない温度にまで加熱される、請求項１に記載の方法。
【請求項１７】
前記加熱工程が、起動よりも前に実施される、請求項１に記載の方法。
【請求項１８】
前記加熱工程に、外部熱源を使用することが含まれる、請求項１に記載の方法。
【請求項１９】
運転の際に、前記第一の円筒ロールの温度をモニターし、前記第一の円筒ロールに加える熱量を調節して、前記温度が維持されるようにする工程がさらに含まれる、請求項１に記載の方法。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
表面であり、前記表面上に配置された抗菌層を有する前記表面を備える物品であって、
前記抗菌層が、有機リン層と、前記有機リン層に結合した抗菌性オリゴマーまたは抗菌性ポリマーとを含み、
前記表面が、チタン、チタン合金、ステンレス鋼、コバルトクロム合金、ニッケル、モリブデン、タンタル、ジルコニウム、マグネシウム、またはニッケル、モリブデン、タンタル、ジルコニウム、及びマグネシウムのうち少なくとも１つを含有する合金からなる群から選択される金属を含み、
前記抗菌性オリゴマーまたは抗菌性ポリマーが約３〜約５００００の抗菌性モノマー単位を含み、
前記抗菌性モノマー単位がアンモニウム塩またはピリジニウム塩を含む前記物品。
【請求項２】
前記表面がチタンを含む、請求項１に記載の物品。
【請求項３】
前記抗菌性オリゴマーまたは抗菌性ポリマーがピリジニウム塩を含む、請求項１に記載の物品。
【請求項４】
前記抗菌性オリゴマーまたは抗菌性ポリマーがアンモニウム塩を含む、請求項１に記載の物品。
【請求項５】
前記抗菌性オリゴマーまたは抗菌性ポリマーが、メタクリロイルオキシドデシルピリジニウム塩、メタクリロイルオキシヘキサデシルピリジニウム塩、４−ヘキサデシルメタクリロイルオキシエチルピリジニウム塩、メタクリロイルオキシエチルヘキサデシルビピリジミウム塩、４−メタクリロイルオキシエチルドデシルピリジニウム塩、及びメタクリロイルオキシエチル（４−Ｎ−ヘキサデシルピリジニルメチル）スクシナートハライドからなる群より選択されるモノマーの１種または複数種の抗菌性モノマー単位を含む、請求項１に記載の物品。
【請求項６】
前記抗菌性オリゴマーまたは抗菌性ポリマーが、メタクリロイルオキシデシルトリエチルアンモニウム塩、ジ（４−ビニルベンジル）ヘキサデシルメチルアンモニウム塩、およびジ（メタクリロイルオキシエチル）ドデシルメチルアンモニウム塩からなる群より選択されるモノマーの１種または複数種の抗菌性モノマー単位を含む、請求項１に記載の物品。
【請求項７】
前記抗菌性オリゴマーまたは抗菌性ポリマーが、メタクリロイルオキシドデシルピリジニウムブロミド、メタクリロイルオキシヘキサデシルピリジニウムクロリド、４−ヘキサデシルメタクリロイルオキシエチルピリジニウムクロリド、メタクリロイルオキシエチルヘキサデシルビピリジミウムジクロリド、４−メタクリロイルオキシエチルドデシルピリジニウムクロリド、及びメタクリロイルオキシエチル（４−Ｎ−ヘキサデシルピリジニルメチル）スクシナートブロミドからなる群より選択されるモノマーの１種または複数種の抗菌性モノマー単位を含む、請求項１に記載の物品。
【請求項８】
前記有機リンがＣ２〜Ｃ２４ヒドロカルビル基を含む、請求項１に記載の物品。
【請求項９】
前記有機リンがＣ２〜Ｃ５ヒドロカルビル基を含む、請求項１に記載の物品。
【請求項１０】
前記抗菌性オリゴマーまたは抗菌性ポリマーが、−Ｏ（ＣＯ）Ｃ（ＣＨ３）２−、−ＮＨ（ＣＯ）Ｃ（ＣＨ３）２−、または−Ｓ（ＣＯ）Ｃ（ＣＨ３）２−部分を含有する、請求項１に記載の物品。
【請求項１１】
前記抗菌層が酸化物層を含み、前記有機リン層が、ホスフィナート、ホスホナート、またはホスファート部分を介して前記酸化物層に共有結合している、請求項１に記載の物品。
【請求項１２】
前記抗菌層が酸化物層を含み、前記有機リン層がホスホナート部分を介して前記酸化物層に共有結合している、請求項１に記載の物品。
【請求項１３】
前記抗菌層が天然酸化物層を含む、請求項１に記載の物品。
【請求項１４】
前記抗菌層が連続している、請求項１に記載の物品。
【請求項１５】
前記抗菌層がパターンまたはマイロパターンで前記表面上に配置された、請求項１に記載の物品。
【請求項１６】
医療機器及びインプラントからなる群より選択される、請求項１に記載の物品。
【請求項１７】
内視鏡用、関節鏡用、および腹腔鏡用の医療機器からなる群より選択される、請求項１に記載の物品。
【請求項１８】
心臓用、心血管用、血管用、整形外科用、整形外科的外傷用、および脊椎用の医療機器からなる群より選択される、請求項１に記載の物品。
【請求項１９】
排液カテーテル、シャント、テープ、メッシュ、ロープ、ケーブル、ワイヤ、縫合糸、皮膚または組織ステープル、火傷用シート、外部固定装置、および一時的インプラントからなる群より選択される、請求項１に記載の物品。
【手続補正書】
【提出日】令和2年9月10日(2020.9.10)
【手続補正１】
【補正対象書類名】明細書
【補正対象項目名】００３６
【補正方法】変更
【補正の内容】
【００３６】
本発明の電解液の一部又は本発明の電解液を調製するプロセスの一部である銅（ＩＩ）錯化剤は、クエン酸、酒石酸、エチレンジアミン四酢酸（ＥＤＴＡ）、Ｎ−（ヒドロキシエチル）−エチレンジアミン三酢酸（ＨＥＤＴＡ）、エチレンジアミン、１，６−ジアミノシクロヘキサン、ジエチレントリアミン、トリエチレンテトラミン、Ｎ，Ｎ，Ｎ，Ｎ−テトラメチルエチレンジアミン、Ｎ，Ｎ−ビス（２−ヒドロキシエチル）エチレンジアミン、Ｎ，Ｎ，Ｎ，Ｎ−テトラキス（２−ヒドロキシエチル）エチレンジアミン、グリシン、２−アミノエチルホスホン酸、サリチル酸、サリチルヒドロキサム酸、カテコール、１，２−ジヒドロキシベンゼン−４−スルホン酸、アセチルアセトン、アセチルアセトネート、ジメチルグリオキシム及び１，３−ジアミノプロパンからなる群から選択できる。上記錯化剤は、銅と錯体を形成する場合、その酸性又は塩基性形態の少なくとも一方であってもよい。